(57)【要約】【課題】扱室下部枠体に対し、扱室上部枠体と挟持レールとを上方移動可能に支持した脱穀装置において、扱室内の各種のメンテナンス作業を簡単な構成で良好に行える脱穀装置を得る。【解決手段】扱室上部枠体（Ａ）と挟持レール（１３）とが上方へ移動した状態で扱室（９）側方に位置する脱穀フィードチェン（１９）の上方を覆うカバー体（２１）を設けると共に、該カバー体（２１）を前記脱穀フィードチェンの上方を覆う姿勢と、脱穀フィードチェン（１９）の上方から退避した収納姿勢とに変更可能な構成とした。また、カバー体（２１）が収納姿勢で脱穀フィードチェン（１９）外側方を覆うサイドカバー（２０）と扱室下部枠体（Ｃ）との間に収納されるように構成した。【選択図】図２
2005218346.tif 000002
【特許請求の範囲】
【請求項１】
扱室下部枠体（Ｃ）に対し、扱室上部枠体（Ａ）と挟持レール（１３）とを上方移動可能に支持した脱穀装置において、前記扱室上部枠体（Ａ）と挟持レール（１３）とが上方へ移動した状態で扱室（９）側方に位置する脱穀フィードチェン（１９）の上方を覆うカバー体（２１）を設けると共に、該カバー体（２１）を前記脱穀フィードチェンの上方を覆う姿勢と、脱穀フィードチェン（１９）の上方から退避した収納姿勢とに変更可能な構成としたことを特徴とする脱穀装置。
【請求項２】
前記カバー体（２１）が収納姿勢で脱穀フィードチェン（１９）外側方を覆うサイドカバー（２０）と扱室下部枠体（Ｃ）との間に収納されるように構成した請求項１記載の脱穀装置。
【発明の詳細な説明】
【技術分野】
【０００１】
本発明は、脱穀装置に関するものである。
【背景技術】
【０００２】
一般的に、コンバイン等に搭載の脱穀装置は、圃場に立毛中の生の穀稈をそのまま高能率で刈取脱穀して選別する関係上、脱穀装置にかなり大きな負荷を与えながら脱穀作業を行っている。
従って、脱穀装置の処理能力や選別精度等を維持するため、定期的な整備や点検、更には扱室内部の藁屑の詰まり等を取除くために、時々扱室を開いて該扱室の側方側から扱室内部のメンテナンス作業を行う必要がある。
また、下方の扱室下部枠体に対して、上方となる扱室上部枠体と挟持レールとを一体的に上方移動可能に支持した脱穀装置においては、上記扱室を開放させた時、扱室側方の扱口側入口に、脱穀フィードチェンが剥き出しで横架されていて、その先端側が尖っており、しかも該脱穀フィードチェンには塵埃や汚れた油等が付着したままとなっている（例えば、特許文献１）。
そして、従来、この種の脱穀装置において、上記のような扱室内部のメンテナンス作業を簡単な対策で良好に行うような技術はなかった。
【特許文献１】特開平８−３０８３６６号公報（第３〜５頁、図７，９，１２）
【発明の開示】
【発明が解決しようとする課題】
【０００３】
即ち、この種の脱穀装置において、扱室内の各種のメンテナンス作業を行うに際し、扱口側にある上記剥き出しの脱穀フィードチェンの存在により、これらの作業がやり難いとの課題があった。
本発明の目的は、上記従来の不具合を改善する点にある。
【課題を解決するための手段】
【０００４】
上記目的を達成するため、本発明においては、扱室下部枠体に対し、扱室上部枠体と挟持レールとを上方移動可能に支持した脱穀装置において、前記扱室上部枠体と挟持レールとが上方へ移動した状態で扱室側方に位置する脱穀フィードチェンの上方を覆うカバー体を設けると共に、該カバー体を前記脱穀フィードチェンの上方を覆う姿勢と、脱穀フィードチェンの上方から退避した収納姿勢とに変更可能な構成としたことを第１の特徴とする。
【０００５】
また、前記カバー体が収納姿勢で脱穀フィードチェン外側方を覆うサイドカバーと扱室下部枠体との間に収納されるように構成したことを第２の特徴とする。
【発明の効果】
【０００６】
扱室上部枠体と挟持レールとが上方へ移動した状態で扱室側方に位置する脱穀フィードチェンの上方を覆うカバー体を設けたので、扱口側に剥き出しの脱穀フィードチェンがあるにも係わらず、作業者は安心して扱室内に手を入れてメンテナンス作業に没頭出来るものであり、塵埃や汚れた油等が脱穀フィードチェンに付着していても、これらが作業衣に付着して衣服を汚すようなこともなくなる。
【発明を実施するための最良の形態】
【０００７】
扱室下部枠体に対し、扱室上部枠体と挟持レールとを上方移動可能に支持した脱穀装置において、前記扱室上部枠体と挟持レールとが上方へ移動した状態で扱室側方に位置する脱穀フィードチェンの上方を覆うカバー体を設けると共に、該カバー体を前記脱穀フィードチェンの上方を覆う姿勢と、脱穀フィードチェンの上方から退避した収納姿勢とに変更可能な構成とした。
【実施例１】
【０００８】
本発明の実施例を以下図面に基づいて説明する。
図１は、本発明を採用した自脱型コンバインの全体斜視図であり、通常のコンバインと同様に、１はコンバインの機体で、前方の前処理装置２の後方一側に、前方より順に穀稈搬送装置３，脱穀装置４，排稈処理装置（図示せず）等を備え、また、上記前処理装置２の後方他側には、前方より順に運転操作装置５，エンジン（図示せず），穀粒処理装置（グレンタンク・図示せず）等を備え、これらの上部には収穫した穀粒を機外に排出するための長い穀粒排出筒６を、機体１の下部には移動用の走行装置７等を備えている。
【０００９】
また、図２は脱穀装置の扱室を開いた状態の要部の作用説明用側断面図で、脱穀装置４の扱室９には、周囲に多数の扱歯１０・・を有する回転自在の扱胴１１が扱胴軸１２により機体１の前後方向に向けて軸支されており、これらと扱室上部枠体Ａ及び穀稈の挟持レール１３とは、扱口Ｂとは反対側の回動支点１４を中心にして支持アーム１５に支持されて、上記扱室９が開放されるように上下方向に回動し、図示していない支持機構により、扱室９の開放状態を維持するように構成されている。
そして、扱口Ｂ側の上部に、これら扱室上部枠体Ａや挟持レール１３及び扱胴１１等を、下部側の脱穀装置４の扱室下部枠体Ｃ側から開放する時にそのロック状態を解除するための、ロック解除レバー１６が備えられている。
【００１０】
更に、上記扱室９の底部側には、上記扱胴１１形状と類似の円形状を成す扱網１８が設置されており、その扱網１８の側方である扱口Ｂ側には上記挟持レール１３との間に扱室９内に供給する穀稈を挟持搬送するための脱穀フィードチェン１９が設けられている。
そして、上記脱穀フィードチェン１９の外側のサイドカバー２０内には、ゴムや布等の可撓材よりなり上記脱穀フィードチェン１９の張り方向に幅広な面を成すメンテナンス用のカバー体２１（図２の鎖線参照）が収納されている。
【００１１】
即ち、上記カバー体２１は、その上端部分がサイドカバー２０裏面の上側に装着されていて、該サイドカバー２０の内側にぶら下げられた収納姿勢となっており、また、上記サイドカバー２０のカバー体２１のある上部側面側には作業者が外側から手を入れるのに十分な空隙部２２（図１参照）が設けられている。
従って、扱室９内のメンテナンス作業時には、作業者はサイドカバー２０の上部側面にある空隙部２２より手を入れてカバー体２１を握り、その先端側をサイドカバー２０と、脱穀フィードチェン１９との隙間２３を通して、図２の実線図示の如く、脱穀フィードチェン１９の上部を覆って、その先端側が扱室９の内部に垂れ下がる状態として行う。
【００１２】
なお、側方にある脱穀フィードチェン１９は、側面視では大きな楕円等の形状を成して順次回転するように掛け渡されているが、上記カバー体２１は該脱穀フィードチェン１９の広い内部空間Ｓの一部分の大きさで十分足りるので、機体１の揺動等で、垂れ下げた上記カバー体２１が左右や前後に揺動しても、脱穀フィードチェン１９に巻込まれるようなことはないが、サイドカバー２０の内側下方部分にも立壁２０ａを設けて、上記カバー体２１を該立壁２０ａとの間に収納しておけば、カバー体２１が脱穀フィードチェン１９に巻込まれるような虞は一層なくなりより安全となる。
【００１３】
更にまた、脱穀装置４の扱室下部枠体Ｃの上記扱網１８の下方には、扱網１８を通過した穀粒等を選別するための揺動選別体２５や選別部の下部に回収された穀粒を脱穀装置４の一側に移送するための穀粒移送螺旋２６、及び集められた穀粒を穀粒処理装置（グレンタンク）に搬送するための穀粒揚穀筒２７等が備えられている。
尚、符号２８は上記穀粒移送螺旋２６への動力を入力するための入力プーリである。
【００１４】
従って、本発明によると、作業者が扱室９内のメンテナンス作業を行うに際しては、先ず、ロック解除レバー１６を操作して、脱穀装置４の扱室上部枠体Ａや挟持レール１３及び扱胴１１等と扱室下部枠体Ｃ側とのロックを解除し、側方にある回動支点１４を中心として上記扱室上部枠体Ａ等の扱口Ｂ側を持上げて図２の扱室９開放状態に固定する。
次いで、機体１側方側の空隙部２２より手を入れて、サイドカバー２０の内部にぶら下げられている収納状態（図２の鎖線参照）のカバー体２１を握り、その先端側を脱穀フィードチェン１９とサイドカバー２０との隙間２３を通して、脱穀フィードチェン１９の上端側を覆って、その先端側が扱室９内に垂れ下がった状態（図２の実線参照）とする。
その状態で、作業者は扱室９内に手を入れて、扱室９内の藁屑等の詰まり解除や清掃、整備・点検等のメンテナンス作業を行う。
【００１５】
すると、扱口Ｂ側に剥き出しの脱穀フィードチェン１９があるにも係わらず、作業者は安心して扱室９内に手を入れてメンテナンス作業に没頭出来るものであり、塵埃や汚れた油等が脱穀フィードチェン１９に付着していても、これらが作業衣に付着して衣服を汚すようなこともなくなる。
なお、本実施例では、扱胴１１を扱室上部枠体Ａや挟持レール１３と一体的に上下移動する例を示したが、扱胴１１を残したまま、扱室上部枠体Ａと挟持レール１３のみを一体的に上下移動して、扱室９の上部側や扱胴１１の上部側のメンテナンス作業を行うタイプの脱穀装置の場合にも適応できる。
また、本実施例では、サイドカバー２０に空隙部２２を設け、前記サイドカバー２０を扱室下部枠体Ｃに取り付けたままで空隙部２２から作業者が手を入れて、カバー体２１を脱穀フィードチェン１９の上方を覆う姿勢と、脱穀フィードチェン１９の上方から退避した収納姿勢とに変更するようにしたが、サイドカバー２０を着脱してカバー体２１の姿勢変更操作を行うようにしてもよい。
【実施例２】
【００１６】
次に、図３は第２実施例を示す脱穀装置の扱室を開いた状態の要部の作用説明用側断面図であって、大部分の構成は、上記第１実施例のものと同一であるが、カバー体２１ａの上端部分をボルト３０・・にて脱穀装置４の扱室下部枠体Ｃの、扱口Ｂ側の上部側壁３１上端側にある扱口板３２に固着して、カバー体２１ａの先端側を側面視で、上記側壁３１と脱穀フィードチェン１９との間隙３３部分に垂れ下げたものである。
【００１７】
これによると、作業者は第１実施例のものと同様に、サイドカバー２０の空隙部２２より手を入れて、カバー体２１ａを握りその先端側を、脱穀フィードチェン１９とサイドカバー２０との隙間２３を通して、脱穀フィードチェン１９の上端側を覆って、その先端側が扱室９内に垂れ下がった状態（図３の実線状態）とし、この状態で上記第１実施例と同様にメンテナンス作業を行うものである。
よって、カバー体２１ａが脱穀フィードチェン１９の上方を覆った状態でカバー体の表となる面（作業者が接触する面）が、カバー体２１ａが脱穀フィードチェン１９の上方から退避した収納状態で内側に隠れて塵埃や汚れた油等で汚れることがないので、扱室のメンテナンス作業時に作業衣がカバー体２１ａに接触しても汚れることがない。
そして、この場合にも、上記カバー体２１ａは機体１の揺動にも係わらず、近くにある脱穀フィードチェン１９に巻込まれるようなことはない。
【００１８】
次に、図４（ａ）は、図３の第２実施例に関連する要部の作用説明用側断面図、（ｂ）は図４（ａ）の部分拡大Ｘ矢視図であって、扱室９内のメンテナンス時に、脱穀フィードチェン１９の上端側を覆っているカバー体２１ｂが、作業者の作業時の接触等により妄りに移動しないように、カバー体２１ｂを下方に稍延長して、その先端側に、カバー体２１ｂと同じ弾性材料で複数個の楔状部３５・・を形成して、カバー体２１ｂの先端側を上記扱網１８上に拡げた際に、夫々の楔状部３５・・を対応する位置の網目１８ａに挿入して、その位置を固定したものである。
これにより、拡げられたカバー体２１ｂが、妄りに丸まったりせず、作業者が安心して作業に没頭出来るものである。
【００１９】
また、図５は、同上図３の第２実施例に関連する別の要部の作用説明用側断面図であって、上記カバー体２１ａを脱穀フィードチェン１９を覆う状態にした時、上記サイドカバー２０着脱用のロックハンドル３６の係止部３７をカバー体２１ａの内部に取り込むことにより、メンテナンス作業終了後に、カバー体２１ａを元の位置に戻さないと、サイドカバー２０の装着が出来ない構造としたものである。
従って、これによりカバー体２１ａをうっかり元の位置に戻すことなく、脱穀フィードチェン１９の動力を入れてしまい、カバー体２１ａを破ってしまうようなミスはなくなるものである。
【００２０】
更に、図６乃至８は他例の脱穀装置挟持レール構造に関するもので、図６は脱穀装置の一部を省略した全体側断面図、図７は従来の要部の側断面図を示し、（ａ）は非作業状態、（ｂ）は作業状態、図８は改善案の要部の側断面図を示し、（ａ）は非作業状態、（ｂ）は作業状態を夫々示す。
即ち、従来は、図７図示の如く、複数個が連結された挟持レール１３・・に夫々装着されたホルダー３８・・の周囲にコイルバネ３９・・を嵌めており、図（ｂ）の如く刈取穀稈Ｋが挟持レール１３と脱穀フィードチェン１９（図示省略）の間に来た時には、挟持レール１３がコイルバネ３９を圧縮させて、ホルダー３８に沿って、レールベース４０側に移動するものであるが、コイルバネ３９の場合には圧縮状態〔図７（ｂ）参照〕にあっても、バネ長βが大きく、挟持レール１３のストロークが小さかったが、図８図示の如く、従来のコイルバネ３９に代えて側面形状が三角形状のコイルバネである竹の子バネ４１を採用することにより作業状態では、図（ｂ）図示の如くバネ長αが小さくなり、作用荷重が同一でも挟持レール１３とレールベース４０とのストロークを大きく出来て、所定のストロークに設定しようとした場合に省スペース化が図れるものである。
【図面の簡単な説明】
【００２１】
【図１】自脱型コンバインの全体斜視図である。
【図２】脱穀装置の扱室を開いた状態の要部の作用説明用側断面図である。
【図３】同上第２実施例を示す要部の作用説明用側断面図である。
【図４】（ａ）は、図３の第２実施例に関連する要部の作用説明用側断面図、（ｂ）は図４（ａ）の部分拡大Ｘ矢視図である。
【図５】同上図３の第２実施例に関連する別の要部の作用説明用側断面図である。
【図６】脱穀装置の一部を省略した他例の全体側断面図である。
【図７】従来の脱穀装置の挟持レール構造に関する要部の側断面図を示し、（ａ）は非作業状態、（ｂ）は作業状態である。
【図８】同上の改善案を示し、（ａ）は非作業状態、（ｂ）は作業状態である。
【符号の説明】
【００２２】
１  機体
４  脱穀装置
９  扱室
１３  挟持レール
１８  扱網
１９  脱穀フィードチェン
２０  サイドカバー
２１，２１ａ，２１ｂ  カバー体
２２  空隙部
２３  隙間
Ａ  扱室上部枠体
Ｂ  扱口
Ｃ  扱室下部枠体
Ｓ  内部空間
【図１】
2005218346.tif 000003
【図２】
2005218346.tif 000004
【図３】
2005218346.tif 000005
【図４】
2005218346.tif 000006
【図５】
2005218346.tif 000007
【図６】
2005218346.tif 000008
【図７】
2005218346.tif 000009
【図８】
2005218346.tif 000010